(57)【要約】【課題】収納庫状態の表示有無を適宜決定し、業務効率化を実現することが可能な現金処理装置を提供する。【解決手段】金種毎に現金を収納する収納部と、前記収納部の状態を表示する表示部と、前記表示部による前記収納部の状態表示の制御を行う制御部と、を備え、前記制御部は、前記収納部における金種毎のエンド状態またはニアエンド状態を少なくとも含むエンド系の表示有無を、表示有無選択画面に対する利用者による操作結果、または、電源投入後における金種毎の所定の取引の有無に基づいて決定する、現金処理装置。【選択図】図２
2020046804.tif 000002
【特許請求の範囲】
【請求項１】
金種毎に現金を収納する収納部と、
前記収納部の状態を表示する表示部と、
前記表示部による前記収納部の状態表示の制御を行う制御部と、
を備え、
前記制御部は、
前記収納部における金種毎のエンド状態またはニアエンド状態を少なくとも含むエンド系の表示有無を、表示有無選択画面に対する利用者による操作結果、または、電源投入後における金種毎の所定の取引の有無に基づいて決定する、現金処理装置。
【請求項２】
前記制御部は、前記収納部の状態として、前記収納部に収納されている現金の枚数を管理し、
前記エンド状態は、前記収納部に収納されている現金が０枚の状態であり、
前記ニアエンド状態は、前記収納部に収納されている現金が、所定の閾値以下、かつ、０枚より多い状態である、請求項１に記載の現金処理装置。
【請求項３】
前記制御部は、
前記現金処理装置の電源投入時に、前記エンド系の状態の表示有無を決定するための前記表示有無選択画面を表示する、請求項２に記載の現金処理装置。
【請求項４】
前記制御部は、
前記現金処理装置の電源投入時にエンド状態の金種については、前記エンド系の状態表示有無の選択対象として前記表示有無選択画面に表示し、
前記エンド状態の金種以外の金種については、前記エンド系の状態表示有りに決定する、請求項３に記載の現金処理装置。
【請求項５】
前記制御部は、
前記エンド系の状態表示無しに決定されている金種のうち、前記現金処理装置の電源投入後に補充取引が行われた金種を、前記エンド系の状態表示有りに決定変更する、請求項２〜４のいずれか１項に記載の現金処理装置。
【請求項６】
前記制御部は、
前記エンド系の状態表示有りに決定されている金種のうち、回収取引が行われた金種を、前記エンド系の状態表示無しに決定変更する、請求項５に記載の現金処理装置。
【請求項７】
前記制御部は、
前記エンド系の状態表示無しに決定されている金種のうち、料金授受取引で出金した金種を、前記エンド系の状態表示有りに決定変更する、請求項２〜６のいずれか１項に記載の現金処理装置。
【請求項８】
前記制御部は、
前記エンド状態または前記ニアエンド状態が発生した金種について状態表示を行うと共に、当該金種についての今後のエンド系表示有無を決定させる前記表示有無選択画面を表示する、請求項２に記載の現金処理装置。
【請求項９】
前記制御部は、
前記エンド系の表示有無を、取引選択画面、有高確認画面、または有高確認レシートに出力する、請求項２〜８のいずれか１項に記載の現金処理装置。
【請求項１０】
前記制御部は、
前記決定された金種毎のエンド系表示有無の決定は、前記現金処理装置の電源がＯＦＦになるまで有効とする、請求項２〜９のいずれか１項に記載の現金処理装置。
【請求項１１】
前記制御部は、
前記金種毎のエンド系表示有無の決定を、設定取引において設定する、請求項２に記載の現金処理装置。
【請求項１２】
前記制御部は、
前記設定取引にて設定された金種毎のエンド系表示有無の決定は、前記設定取引により設定変更されるまで有効とする、請求項１１に記載の現金処理装置。
【請求項１３】
前記制御部は、
前記エンド系の状態表示有りの金種について、状態表示の際の通知態様を決定するための通知態様選択画面を表示する、請求項２〜１２のいずれか１項に記載の現金処理装置。
【請求項１４】
前記制御部は、前記金種毎のエンド系表示有無の決定タイミングを操作履歴として保存する、請求項２〜１３のいずれか１項に記載の現金処理装置。
【発明の詳細な説明】
【技術分野】
【０００１】
本発明は、現金処理装置に関する。
【背景技術】
【０００２】
小売店やスーパーマーケットなどの流通施設や商業施設、また、銀行等の金融機関において、店内の現金を管理（例えば流通施設や商業施設の場合は、売上金を入金し、釣銭準備金を出金する）現金処理装置が設置されている。
【０００３】
通常、出金機能を有する現金処理装置では、現金を出金する前に補充取引により全ての金種を収納してから使用する。これは、出金の際に有高不足により出金できない事象が発生しないようにするためである。
【０００４】
下記特許文献１には、表示操作部の待機画面に、各金種の有高を表示するとともに、入出金が適正に完了できない可能性のある金種については警告情報を表示する貨幣処理装置が開示されている。当該特許文献１では、収納された貨幣の有高が所定の下限警告値以上である場合、出金が適正に完了できない可能性のある金種として、警告情報が表示されることが記載されている。
【先行技術文献】
【特許文献】
【０００５】
【特許文献１】特開２０１５−９５１０８号公報
【発明の概要】
【発明が解決しようとする課題】
【０００６】
しかしながら、現金処理装置の運用形態によっては、必ずしも全ての金種を現金処理装置に収納しておく必要がない場合がある。例えば釣銭として出金しない金種については、現金処理装置に収納しておかなくても問題がない。このような運用の際、本来は不要である収納する必要のない金種の収納庫状態が表示されると、利用者にとって煩わしく、また、補充取引の必要性の考慮に時間が取られることとなる。
【０００７】
そこで、本発明は、上記問題に鑑みてなされたものであり、本発明の目的とするところは、収納庫状態の表示有無を適宜決定し、業務効率化を実現することが可能な現金処理装置を提供することにある。
【課題を解決するための手段】
【０００８】
上記課題を解決するために、本発明のある観点によれば、金種毎に現金を収納する収納部と、前記収納部の状態を表示する表示部と、前記表示部による前記収納部の状態表示の制御を行う制御部と、を備え、前記制御部は、前記収納部における金種毎のエンド状態またはニアエンド状態を少なくとも含むエンド系の表示有無を、表示有無選択画面に対する利用者による操作結果、または、電源投入後における金種毎の所定の取引の有無に基づいて決定する、現金処理装置が提供される。
【０００９】
前記制御部は、前記収納部の状態として、前記収納部に収納されている現金の枚数を管理し、前記エンド状態は、前記収納部に収納されている現金が０枚の状態であり、前記ニアエンド状態は、前記収納部に収納されている現金が、所定の閾値以下、かつ、０枚より多い状態であってもよい。
【００１０】
前記制御部は、前記現金処理装置の電源投入時に、前記エンド系の状態の表示有無を決定するための前記表示有無選択画面を表示してもよい。
【００１１】
前記制御部は、前記現金処理装置の電源投入時にエンド状態の金種については、前記エンド系の状態表示有無の選択対象として前記表示有無選択画面に表示し、前記エンド状態の金種以外の金種については、前記エンド系の状態表示有りに決定してもよい。
【００１２】
前記制御部は、前記エンド系の状態表示無しに決定されている金種のうち、前記現金処理装置の電源投入後に補充取引が行われた金種を、前記エンド系の状態表示有りに決定変更してもよい。
【００１３】
前記制御部は、前記エンド系の状態表示有りに決定されている金種のうち、回収取引が行われた金種を、前記エンド系の状態表示無しに決定変更してもよい。
【００１４】
前記制御部は、前記エンド系の状態表示無しに決定されている金種のうち、料金授受取引で出金した金種を、前記エンド系の状態表示有りに決定変更してもよい。
【００１５】
前記制御部は、前記エンド状態または前記ニアエンド状態が発生した金種について状態表示を行うと共に、当該金種についての今後のエンド系表示有無を決定させる前記表示有無選択画面を表示してもよい。
【００１６】
前記制御部は、前記エンド系の表示有無を、取引選択画面、有高確認画面、または有高確認レシートに出力してもよい。
【００１７】
前記制御部は、前記決定された金種毎のエンド系表示有無の決定は、前記現金処理装置の電源がＯＦＦになるまで有効としてもよい。
【００１８】
前記制御部は、前記金種毎のエンド系表示有無の決定を、設定取引において設定してもよい。
【００１９】
前記制御部は、前記設定取引にて設定された金種毎のエンド系表示有無の決定は、前記設定取引により設定変更されるまで有効としてもよい。
【００２０】
前記制御部は、前記エンド系の状態表示有りの金種について、状態表示の際の通知態様を決定するための通知態様選択画面を表示してもよい。
【００２１】
前記制御部は、前記金種毎のエンド系表示有無の決定タイミングを操作履歴として保存してもよい。
【発明の効果】
【００２２】
以上説明した本発明によれば、収納庫状態の表示有無を適宜決定し、業務効率化を実現することが可能となる。
【図面の簡単な説明】
【００２３】
【図１】本発明の実施形態に係る現金処理装置の概略構成について説明する。
【図２】本発明の第１の実施例による表示有無選択画面の一例を示す図である。
【図３】本発明の第３の実施例による動作処理の流れの一例を示すフローチャートである。
【図４】本発明の第６の実施例によるエンド系表示有無の決定操作画面の一例を示す図である。
【図５】本発明の第７の実施例による待機画面にエンド系状態の表示有無を表示する場合の一例について説明する図である。
【図６】本発明の第７の実施例による有高確認画面にエンド系状態の表示有無を表示する場合の一例について説明する図である。
【図７】本発明の第７の実施例による有高照会レシートにエンド系状態の表示有無が印字される場合の一例について説明する図である。
【図８】本発明の第８の実施例による「設定画面」からのエンド系状態表示有無の設定について説明する図である。
【図９】本発明の第８の実施例によるエンド系状態表示「有」における「警告」について説明する図である。
【発明を実施するための形態】
【００２４】
以下に添付図面を参照しながら、本発明の実施の形態について詳細に説明する。なお、本明細書及び図面において、実質的に同一の機能構成を有する構成要素については、同一の符号を付することにより重複説明を省略する。
【００２５】
また、本明細書及び図面において、実質的に同一の機能構成を有する複数の構成要素を、同一の符号の後に異なるアルファベットを付して区別する場合もある。ただし、実質的に同一の機能構成を有する複数の構成要素の各々を特に区別する必要がない場合、複数の構成要素の各々に同一符号のみを付する。
【００２６】
＜０．導入＞
本発明の実施形態は、小売店やスーパーマーケットなどの流通施設および商業施設に設置される現金処理装置に適用される。本実施形態による現金処理装置は、例えば、レジで用いられる釣銭準備金として紙幣および硬貨を出金する釣銭出金、およびレジから回収された紙幣および硬貨を入金する売上入金などの処理を実行可能である。以下、このような本発明の実施形態による現金処理装置の構成および動作について順次詳細に説明する。
【００２７】
＜１．現金処理装置の構成例＞
図１を参照して、本発明の実施形態に係る現金処理装置１００の概略構成について説明する。図１に示したように、本発明の実施形態による現金処理装置１００は、本体１００ａおよびアダプタ１００ｂを有する。本体１００ａとアダプタ１００ｂとは有線または無線で接続されている。
【００２８】
本体１００ａは、紙幣投入口１０１と、紙幣搬送部１０４と、紙幣鑑別部１０５と、万券カセット１０７と、五千券カセット１０９と、千券カセット１１１と、紙幣回収カセット１１３と、硬貨投入口１１７と、硬貨搬送部１１８と、硬貨鑑別部１１９と、硬貨収納庫１２３と、硬貨リジェクト部１２７と、硬貨出金箱１２９と、操作表示部１３３と、を備える。紙幣部には紙幣扉が設けられており、紙幣扉が開いている場合に紙幣部の内部への操作が可能となる。同様に、硬貨部には硬貨扉が設けられており、硬貨扉が開いている場合に硬貨部の内部への操作が可能となる。
【００２９】
紙幣投入口１０１は、現金処理装置１００に入金される紙幣が投入される投入口である。また、紙幣投入口１０１は、紙幣の出金口でもあり、例えば釣銭である紙幣が紙幣投入口１０１から出金される。また、入金時に紙幣鑑別部１０５により正常ではないとしてリジェクトされた紙幣が紙幣投入口１０１から出金される。紙幣投入口１０１は、シャッター機構を有し、現金投入時または受取時にシャッターは開き、投入時または受取時以外シャッターは閉じている。また、紙幣投入口１０１には紙幣センサが設けられ、紙幣センサは、紙幣投入口１０１における紙幣の有無を検知する紙幣投入検知部として機能する。
【００３０】
紙幣搬送部１０４は、現金処理装置１００内で紙幣を搬送する。例えば、紙幣搬送部１０４は、紙幣投入口１０１に投入された紙幣を分離し、分離した紙幣を搬送路に繰り出す。さらに、紙幣搬送部１０４は、紙幣を紙幣鑑別部１０５に搬送し、紙幣鑑別部１０５での鑑別結果に応じた搬送先に紙幣を搬送する。また、紙幣搬送部１０４は、紙幣カセットから紙幣を繰出し、繰出された紙幣を紙幣投入口１０１に搬送する。
【００３１】
紙幣鑑別部１０５は、投入された紙幣が正常な紙幣であるか否かを各種センサによって鑑別する。
【００３２】
万券カセット１０７、五千券カセット１０９、および千券カセット１１１は、それぞれ万券、五千券、および千券の紙幣を収納する現金収納部である。具体的には、万券カセット１０７、五千券カセット１０９、および千券カセット１１１（各紙幣カセット）には、バラ状態の各種紙幣が釣銭準備金として収納される。また、各紙幣カセットには、売上として入金され、紙幣鑑別部１０５で正常と鑑別された各種紙幣が収納される。さらに、釣銭出金時には、各紙幣カセットから各種紙幣が出金される。
【００３３】
紙幣回収カセット１１３は、紙幣リジェクト部１１４および紙幣回収部１１５を備える。紙幣リジェクト部１１４には、紙幣鑑別部１０５によって正常な紙幣ではないと鑑別された紙幣、すなわちリジェクトされた紙幣が集積される。具体的には、紙幣リジェクト部１１４には、紙幣投入口１０１から紙幣カセットへ紙幣を搬送する際、または紙幣カセットから紙幣投入口１０１または紙幣回収部１１５に紙幣を搬送する際にリジェクトされた紙幣などが集積される。また、紙幣リジェクト部１１４には、循環使用しない金種の紙幣（例えば、二千券）等が収納されてもよい。
【００３４】
紙幣回収部１１５は、売上回収のためのカセットである。具体的には、紙幣回収部１１５には、精算集計時に、各紙幣カセットから移動された紙幣が売上金として収納される。
【００３５】
硬貨投入口１１７は、現金入金口の一例であり、硬貨が投入される開口である。硬貨搬送部１１８は、硬貨投入口１１７に投入された硬貨を搬送する。また、硬貨搬送部１１８は、硬貨収納庫１２３から繰り出された硬貨を硬貨出金箱１２９に搬送する。硬貨鑑別部１１９は、投入された硬貨が正常な硬貨であるか否かを各種センサによって鑑別する。
【００３６】
硬貨収納庫１２３には、硬貨投入口１１７に投入された各種硬貨（五百円硬貨、百円硬貨、五十円硬貨、十円硬貨、五円硬貨、一円硬貨）が収納されており、釣銭出金時または売上回収時には硬貨収納庫１２３から各種硬貨が繰り出される。
【００３７】
硬貨リジェクト部１２７には、硬貨鑑別部１１９によって正常な硬貨ではないと鑑別された硬貨、すなわちリジェクトされた硬貨が収納される。具体的には、硬貨リジェクト部１２７には、硬貨投入口１１７から硬貨収納庫１２３へ硬貨を搬送する際、または硬貨収納庫１２３から硬貨出金箱１２９に硬貨を搬送する際にリジェクトされた硬貨などが収納される。
【００３８】
硬貨出金箱１２９は、釣銭出金時または売上回収時に硬貨を出金するための硬貨出金口である。具体的には、硬貨出金箱１２９には、釣銭出金時または売上回収時に、硬貨収納庫１２３から硬貨が搬送される。
【００３９】
操作表示部１３３は、各種画面を表示する表示部としての機能を有する。表示部としての機能は、例えば、ＣＲＴ（Ｃａｔｈｏｄｅ  Ｒａｙ  Ｔｕｂｅ）ディスプレイ装置、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｏｄｅ）装置により実現される。また、操作表示部１３３は、操作者による操作を検出する操作部としての機能も有する。操作部としての機能は、例えばタッチパネルにより実現される。なお、表示部および操作部の機能は分離して構成されてもよい。
【００４０】
アダプタ１００ｂは、図１に示したように、操作指示部１５０および制御部１６０を有する。
【００４１】
操作指示部１５０は、操作者による操作を検出する操作部としての機能、および各種画面を表示する表示部としての機能を包含する。操作者は、例えば操作指示部１５０を操作することにより、現金処理装置１００に所望の取引を実行させることが可能である。なお、操作指示部１５０は、表示機能も有するタッチパネルであってもよい。
【００４２】
制御部１６０は、演算処理装置であるＣＰＵ（Ｃｅｎｔｒａｌ  Ｐｒｏｃｅｓｓｉｎｇ  Ｕｎｉｔ）、ＣＰＵが使用するプログラムや演算パラメータ等を記憶するＲＯＭ（Ｒｅａｄ  Ｏｎｌｙ  Ｍｅｍｏｒｙ）、ＣＰＵの実行において使用するプログラムや、その実行において適宜変化するパラメータ等を一時記憶するＲＡＭ（Ｒａｎｄｏｍ  Ａｃｃｅｓｓ  Ｍｅｍｏｒｙ）、データ等を記憶する記憶装置などのデータ格納用記憶装置等で構成される。
【００４３】
この制御部１６０は、現金処理装置１００の動作全般を制御する。例えば、制御部１６０は、各紙幣カセットおよび硬貨収納庫１２３に収納されている現金の枚数を管理する。また、制御部１６０は、操作表示部１３３および操作指示部１５０に表示される画面を制御する。
【００４４】
また、制御部１６０は、紙幣カセットや硬貨収納庫１２３に収納されている現金の状態（収納庫状態）について操作表示部１３３に表示する制御（状態表示制御）を行う。
【００４５】
なお、図１においては制御部１６０を含むアダプタ１００ｂが本体１００ａと分離構成される例を示したが、アダプタ１００ｂの機能および本体１００ａの機能は一体的に構成されてもよい。また、本体１００ａに制御部を設け、アダプタ１００ｂの制御部１６０と連携して現金処理装置１００の動作を制御してもよい。本体１００ａの制御部は、本体１００ａの動作を制御し、例えば、紙幣投入口１０１のシャッターの開閉や紙幣の搬送動作等を制御する。
【００４６】
＜２．現金処理装置が行う各種取引＞
制御部１６０は、操作者が所望の処理を選択するための取引選択画面を操作表示部１３３または操作指示部１５０に表示させ、取引選択画面において操作者により選択された取引を制御する。
【００４７】
制御部１６０の制御により実現される各取引には、料金授受（入金）取引、補充取引、有高確認取引、回収取引、および設定取引がある。取引選択画面には、「料金授受」ボタン、「補充」ボタン、「有高確認」ボタン、「回収」ボタン、および「設定ボタン」が含まれ、利用者により選択された取引が実現される。以下、制御部１６０の制御により実現される各取引の概要を説明する。
【００４８】
「料金授受」ボタンが選択された場合、制御部１６０は、料金授受（入金）取引を制御する。料金授受取引では、売上金額が入力され、入力された売上金額以上の金額の現金が現金処理装置１００に投入されると、制御部１６０は、（投入された現金の金額−売上金額）に相当する現金を釣銭として紙幣投入口１０１または硬貨出金箱１２９に出金させる。釣銭の出金は、紙幣投入口１０１に投入された紙幣が紙幣カセットに収納され、硬貨投入口１１７に投入された硬貨が硬貨収納庫１２３に収納された後に行われる。
【００４９】
「補充」ボタンが選択された場合、制御部１６０は、補充取引を制御する。補充取引は、現金処理装置１００に現金を補充するための取引である。補充取引では、紙幣が紙幣投入口１０１に投入され、硬貨が硬貨投入口１１７に投入され、紙幣が紙幣カセットに収納され、硬貨が硬貨収納庫１２３に収納される。現金の投入前に、操作表示部１３３または操作指示部１５０が補充金額の入力画面を表示してもよい。
【００５０】
「有高確認」ボタンが選択された場合、制御部１６０は、有高確認取引を制御する。有高確認取引では、操作表示部１３３または操作指示部１５０に、現金処理装置１００に収納されている紙幣および硬貨の有高が表示される。具体的には、金種毎に有高が表示される。
【００５１】
「回収」ボタンが選択された場合、制御部１６０は、回収取引を制御する。回収取引は、現金処理装置１００から売上金を回収するための取引である。回収取引では、各紙幣カセットから紙幣が紙幣回収部１１５に移動して収納され、硬貨収納庫１２３から硬貨が硬貨出金箱１２９に移動して収納される。
【００５２】
「設定」ボタンが選択された場合、制御部１６０は、設定取引を制御する。設定取引は、現金処理装置１００の動作パラメータを設定するための取引である。例えば、制御部１６０は、利用者の操作に従って、次に説明する収納庫の状態表示におけるニアフル枚数の閾値や、ニアエンド枚数の閾値を設定登録する。
【００５３】
＜３．収納庫の状態表示＞
制御部１６０は、収納庫に収納された現金の枚数を管理し、その状態（収納庫状態）を、操作表示部１３３または操作指示部１５０の表示面や、現金処理装置１００に設けられたＬＥＤ（Light  Emitting  Diode）等の発光部により利用者に提示することが可能である。
【００５４】
管理される収納庫の状態は、金種別の収納庫毎の収納枚数に応じて以下のように決定される。なお各閾値は、金種毎に変更可能である。
・フル状態；フル枚数として設定された閾値以上の状態。フル枚数の閾値は、例えば最大集積可能枚数等、構造上決定されるものであってもよく、装置側で予め設定される。
・ニアフル状態；ニアフルとして設定された枚数以上、かつ、フル枚数未満の状態。ニアフル枚数の閾値は、利用者が設定により指定することが可能である。
・ニアエンド状態；ニアエンドとして設定された枚数以下、かつ、０枚より多い状態。ニアエンド枚数の閾値は、利用者が設定により指定することが可能である。
・エンド状態；０枚の状態。
【００５５】
＜４．課題の整理＞
収納庫の状態表示制御において、常に全ての金種について状態表示が行われることは煩わしい場合がある。例えば、現金処理装置の運用形態によっては、必ずしも全ての金種を現金処理装置に収納しておく必要がない場合がある。具体的には、例えば釣銭として出金しない金種（例えば、万券、二千券、五円硬貨、一円硬貨）については、現金処理装置に収納しておかなくても問題がないため、このような運用の際に本来は不要である収納する必要のない金種の収納庫状態が表示されると、利用者にとって煩わしいものとなる。また、補充取引の必要性の考慮に時間が取られることにもなる。
【００５６】
本発明の実施形態は、上記事情を一着眼点にして創作された発明であり、本発明の実施形態による現金処理装置は、収納庫状態の表示有無を適宜決定し、業務効率化を実現することを可能とする。
【００５７】
＜５．現金処理装置の動作＞
本実施形態による現金処理装置１００の動作において、制御部１６０は、表示有無選択画面からの利用者による操作、または、電源投入後における金種毎の所定の取引の有無に基づいて、収納庫状態の表示有無を適宜決定し、業務効率化を実現させる。以下、本実施形態の動作について、複数の実施例を用いて具体的に説明する。
【００５８】
（３−１．第１の実施例）
制御部１６０は、現金処理装置１００の電源投入時に、操作表示部１３３または操作指示部１５０に、「表示有無選択画面」を表示し、金種毎に、エンド系（本明細書では、エンド状態およびニアエンド状態を含めて「エンド系」と称す）の状態表示の有無を利用者に決定させる。
【００５９】
図２に、本実施例による表示有無選択画面の一例を示す。図２に示すように、表示有無選択画面２０には、「エンド、ニアエンドの通知有無を選択してください」という文言と共に、金種毎に、状態表示の有無を決定する「有」ボタン、「無」ボタンが表示されている。制御部１６０は、利用者の操作に従って、各金種の状態表示有無を決定する。図２に示す例では、例えば、万券、五円硬貨、および、一円硬貨が、釣銭として出金しない金種であるため、状態表示「無」に決定されている。
【００６０】
ここで決定された表示有無は、現金処理装置１００の電源がＯＦＦされるまで継続して有効とされる。すなわち、制御部１６０は、決定された表示有無の情報を、例えば電源がＯＦＦされるとデータが消える記憶領域（ＲＡＭなど）に記憶するようにしてもよいし、電源がＯＮ／ＯＦＦされたときに、当該決定された表示有無の情報をリセット（初期化）するようにしてもよい。
【００６１】
（作用効果）
第１の実施例によれば、現金処理装置１００の電源投入時（使用開始時）に、釣銭として使用しない金種のエンド、ニアエンドの状態表示を行わないよう利用者が任意に決定することができる。これにより、不要なエンド系の状態表示（利用者への通知など）が視界に入る煩わしさの解消と、「補充取引」の必要性の考慮およびその実行の手間を省くことにより、業務効率化を実現することができる。
【００６２】
（３−２．第２の実施例）
上述した第１の実施例では、電源投入時に、全ての金種について、「表示有無選択画面」からエンド系の状態表示有無を選択しているが、第２の実施例では、電源投入時における各金種の状態に応じて、釣銭として使用しない可能性のある金種のみ、「表示有無選択画面」で選択対象とすることで、さらに業務効率化を図る。
【００６３】
現金処理装置１００の電源投入は、その日の営業時間前など、一日の利用を開始するタイミング等で行われることが想定されるが、この場合、釣銭として使用する金種は予め補充されている（前営業日など、使用中において常にエンドにならないよう補充されている）ことが想定される。したがって、電源投入時にエンドでない金種は釣銭として使用することが見込まれ、一方、エンドの金種は釣銭として使用しないことが予想される。
【００６４】
そこで、制御部１６０は、電源投入時にエンドであった金種のみ（すなわち、釣銭として使用しないため状態表示が不要と思われる金種のみ）を、エンド系状態表示の有無を選択する「表示有無選択画面」において利用者の選択対象とする。この場合、制御部１６０は、選択対象以外の金種（すなわち、釣銭として使用することが見込まれるため状態表示が必要となる金種）については、無条件にエンド系の表示を行うよう制御する。なお、制御部１６０は、「表示有無選択画面」において、選択対象以外の金種は非表示としてもよいし、または、グレーアウト等の表示態様により、選択できないこと（若しくは表示「有」から変更できないこと）を明示するよう表示制御してもよい。
【００６５】
（作用効果）
第２の実施例により、釣銭として使用する可能性の高い金種のエンド系表示有無選択の手間を省くことができ、さらに業務効率化が図れる。
【００６６】
（３−３．第３の実施例）
続いて、電源投入後における金種毎の所定の取引の有無に基づいて、状態表示の有無を自動で決定する場合について説明する。
【００６７】
制御部１６０は、現金処理装置１００の電源が投入された後に、補充取引が行われた金種のみを、エンド系の状態表示の対象に決定し、それ以外の金種については、エンド系の状態表示は行わない。補充取引が複数回に分けて行われた場合、新たな金種を補充する度に、エンド系表示対象の金種が増えることとなる。
【００６８】
現金処理装置１００の電源投入は、その日の営業時間前など、一日の利用を開始するタイミング等で行われることが想定され、また、一日の終わりには、売上金等として回収されるため、各金種がエンド状態になっていることが想定される。こまめに回収せずに現金処理装置１００を金庫代わりに運用しているような場合は、現金処理装置１００に現金が残されたまま翌営業日を迎えることもあるが、本実施例では、電源ＯＦＦを行う前に売上金等の回収をして各金種がエンド状態になっている場合を想定する。
【００６９】
この場合、利用者は、現金処理装置１００の電源投入後に、釣銭として使用する現金を補充取引により補充する作業を行う。これにより、電源投入後に補充された金種は釣銭として使用し、補充されない金種は釣銭として使用しないものとみなすことができる。
【００７０】
電源投入後における金種毎の「補充」取引の有無に基づいて制御部１６０が決定した各金種の表示有無は、現金処理装置１００の電源がＯＦＦされるまで継続して有効とされる。
【００７１】
以下、このような第３の実施例について、図３を参照して動作処理を説明する。
【００７２】
図３は、第３の実施例による動作処理の流れの一例を示すフローチャートである。
【００７３】
図３に示すように、まず、現金処理装置１００の電源が投入され（ステップＳ１０３）、補充取引が行われた場合（ステップＳ１０６／Ｙｅｓ）、制御部１６０は、補充された金種のエンド系表示を「有」に決定する（ステップＳ１０９）。
【００７４】
次に、紙幣収納カセットのエンドまたはニアエンドの状態が検知された場合（ステップＳ１１２／Ｙｅｓ）、制御部１６０は、検知された金種のエンド系表示が「有」に設定されているか否かを確認する（ステップＳ１１５）。
【００７５】
次いで、エンド系表示が「有」に設定されている場合（ステップＳ１１５／Ｙｅｓ）、制御部１６０は、当該金種について、エンドまたはニアエンドが検知されたことを表示するよう制御する（ステップＳ１１８）。
【００７６】
そして、以上説明したステップＳ１０６〜Ｓ１１８の処理を、現金処理装置１００の電源がＯＦＦされるまで繰り返す（ステップＳ１２１）。
【００７７】
（作用効果）
第３の実施例によれば、現金処理装置１００自身が、釣銭として使用されている金種を判別し、エンド系の状態表示有無を決定することができるため、利用者の決定操作が不要となり、さらなる業務改善が図れる。
【００７８】
（３−４．第４の実施例）
上述した第３の実施例では、「補充」取引があった場合にエンド系の状態表示「有」とした決定内容については、現金処理装置１００の電源がＯＦＦにならない限り変更されないが、第４の実施例では、さらに、「回収」取引の有無に応じて、その金種のエンド系の状態表示有無を変更することを可能とする。
【００７９】
制御部１６０は、エンド系の状態表示「有」に決定した金種のうち、「回収」取引によりエンドが検出された金種については、その検出の時点で、エンド系の状態表示「無」に戻す決定を行う。「回収」取引によりエンドとなった金種は、釣銭として使用しないものとみなし、エンド系の状態表示は不要となるためである。なお、その後、その金種について再び補充取引が行われた場合は、再度、エンド系の状態表示「有」に決定する（すなわち、エンド系の状態表示の対象とする）。
【００８０】
電源投入後における金種毎の「補充」取引および「回収」取引の有無に基づいて制御部１６０が決定した各金種の表示有無は、現金処理装置１００の電源がＯＦＦされるまで継続して有効とされる。
【００８１】
（作用効果）
以上により、第４の実施例によれば、現金処理装置１００の運用が２４時間通電の場合においても、電源ＯＦＦすることなく、エンド系表示有無を変更することが可能となる。
【００８２】
（３−５．第５実施例）
次いで、電源投入後における金種毎の「料金授受」取引で出金された金種のみ、状態表示の対象とする場合について説明する。
【００８３】
制御部１６０は、現金処理装置１００の電源が投入された後に、「料金授受」取引で出金された金種のみを、エンド系の状態表示の対象に決定し、それ以外の金種については、エンド系の状態表示は行わない。「料金授受」取引で出金された金種は、釣銭として使用されているものとみなし、エンド系の状態表示が必要となるためである。一方、「料金授受」取引で出金されない金種は、釣銭として使用されていないため、エンド系の状態表示は不要と判断する。
【００８４】
電源投入後における金種毎の「料金授受」取引に基づいて制御部１６０が決定した各金種の表示有無は、現金処理装置１００の電源がＯＦＦされるまで継続して有効とされる。
【００８５】
（作用効果）
第５の実施例によれば、現金処理装置１００自身が、釣銭として使用されている金種を判別し、エンド系の状態表示有無を決定することができるため、利用者の決定操作が不要となり、さらなる業務改善が図れる。
【００８６】
（３−６．第６の実施例）
制御部１６０は、現金処理装置１００の電源投入後、金種毎に、最初にエンドまたはニアエンドが発生した際に、その金種の今後のエンド系表示有無について利用者に決定させるようにしてもよい。本実施例では、現金処理装置１００の電源投入の段階では全ての金種がエンド系表示有無の対象とされる。
【００８７】
図４は、本実施例によるエンド系表示有無の決定操作画面の一例を示す図である。図４左の画面２２に示すように、例えば１００円硬貨についてニアエンドが発生した場合、ニアエンド状態の表示（通知）と共に、「今後も１００円硬貨についてエンド系状態表示を行うか否かを指定してください」といった文言を表示する。画面２２の「次へ」ボタンを利用者が選択すると、図４右の画面２３が表示される。
【００８８】
画面２３では、今回エンド系表示有無の決定操作対象となる「１００円硬貨」以外の金種については、グレーアウト表示により選択できないことが明示されている。なお、画面２３の表示態様は一例であって、本実施例はこれに限定されない。例えば、今回エンド系表示有無の決定操作対象となる「１００円硬貨」だけを表示し、他の金種については非表示にしてもよい。
【００８９】
ここで制御部１６０が決定した各金種の表示有無は、現金処理装置１００の電源がＯＦＦされるまで継続して有効とされる。
【００９０】
（作用効果）
以上により、電源投入時に全ての金種についてエンド系表示有無を判断することなく、金種毎にエンド系状態が発生した際に判断することで、業務効率化が実現される。
【００９１】
（３−７．第７実施例）
制御部１６０は、エンド系状態の表示有無について、現金処理装置１００の待機画面や、有高照会画面、または、有高照会レシート等で参照できるようにしてもよい。以下、図面を用いて具体例を説明する。
【００９２】
図５は、本実施例による待機画面にエンド系状態の表示有無を表示する場合の一例について説明する図である。図５に示す待機画面２５は、取引を選択する「取引選択画面」であり、ここに、エンド系状態表示有無表示２５１が表示される。図５に示す例では、万券、五円硬貨、および、一円硬貨については、現在、エンド系状態表示の対象外となっている（エンド系通知なし）ことが表示されている。なお、エンド系通知の「警告」とは、単にエンド系状態を表示する「表示」よりも注意喚起度が高い通知態様であり、例えば画面を点滅させたり、アラームを鳴らしたりして、エンド系状態が発生したことを利用者に通知する通知態様である。上述した各実施例では、エンド系状態の表示有無を金種毎に決定するまでを説明したが、その際に、さらに、エンド系通知の態様（表示／警告）を利用者が任意に、または制御部１６０が自動で決定することも可能である。
【００９３】
図５に示す例では、エンド系状態表示有無の表示として、通知態様（表示／警告）まで表示しているが、本実施例はこれに限定されず、単にエンド系状態表示「有」の金種と、エンド系状態表示「無」の金種を表示するようにしてもよい。
【００９４】
図６は、本実施例による有高確認画面にエンド系状態の表示有無を表示する場合の一例について説明する図である。図６に示す有高確認画面２６は、「取引選択画面」において「有高確認」ボタンが利用者により選択された場合に表示され、金種毎の収納枚数が表示される。有高確認画面２６では、各金種の有高表示欄毎に、文字色や背景色、アイコン等の表現により、エンド系状態の表示有無が表示される。例えば図６に示す例では、背景色が無しの金種（五千、一千、５００、１００、５０、１０）は、エンド系状態表示「有」であり、背景色が付いている金種（一万、二千、５、１、リジェクト庫）が、エンド系状態表示「無」である。
【００９５】
また、制御部１６０は、エンド系状態表示「有」の金種について、さらに通知態様（表示／警告）を表示するようにしてもよい。例えば制御部１６０は、有高確認画面２６の余白部分に、下記の表示を行ってもよい。
「エンド系通知あり（警告）：一千、５００、１００、５０、１０
エンド系通知あり（表示）：五千」
【００９６】
図７は、本実施例による有高照会レシートにエンド系状態の表示有無が印字される場合の一例について説明する図である。図７に示す有高照会レシート２７は、現金処理装置１００のレシートプリンタ部（不図示）から排出される。レシートプリンタ部は、現金処理装置１００によって行われた各処理の内容を示す情報が印字されたレシートを排出する。
【００９７】
図７に示すように、有高照会レシート２７には、「五千券、千券、５００円硬貨、１００円硬貨、５０円硬貨、１０円硬貨」については、エンド系状態表示の対象となっていること（さらに、金種別の通知態様「警告／表示」）と、「万券、二千券、５円硬貨、１円硬貨」については、エンド系状態表示の対象外となっていることが印字されている。
【００９８】
（作用効果）
第７の実施例によれば、エンド系状態の表示有無確認を容易にすることができる。
【００９９】
（３−８．第８実施例）
現金処理装置１００の「設定」取引により、エンド系表示有無を設定する場合について説明する。上述した各実施例では、現金処理装置１００の電源がＯＦＦされた際は、エンド系表示有無の決定は消滅（リセット）されるが、本実施例では、「設定」取引によりエンド系表示有無を設定することで、電源ＯＦＦされても有効にすることができる。
【０１００】
また、本実施例では、エンド系状態の表示「有」と設定した際、さらに、その通知態様「警告／表示」も設定取引にて設定できるようにする。
【０１０１】
以下、図８を参照して具体的に説明する。図８は、第８の実施例による「設定画面」からのエンド系状態表示有無の設定について説明する図である。
【０１０２】
図８に示すように、まず、取引選択画面２９Ａに表示されている「設定」ボタンが利用者により選択されると、設定画面２９Ｂが表示される。
【０１０３】
次いで、設定画面２９Ｂに表示されている「エンド系通知設定」ボタンが利用者により選択されると、エンド／ニアエンド通知有無選択画面２９Ｃが表示される。エンド／ニアエンド通知有無選択画面２９Ｃでは、金種毎に、エンド系表示有無が選択される。
【０１０４】
次に、エンド／ニアエンド通知有無選択画面２９Ｃに表示されている「次へ」ボタンが利用者により選択されると、エンド／ニアエンド通知方法選択画面２９Ｄが表示される。エンド／ニアエンド通知方法選択画面２９Ｄでは、金種毎に、エンド系表示を行う際の通知方法（通知態様）として、「警告」か「表示」を選択できる。なお、エンド／ニアエンド通知方法選択画面２９Ｄでは、前画面においてエンド系表示「無」が選択された金種については、グレーアウト表示、または非表示とすることで、通知方法の選択は行えないようになっている。
【０１０５】
ここで、設定取引により設定した内容は、再度設定取引により変更しない限り、現金処理装置１００の電源をＯＦＦにしても有効となる。すなわち、設定取引により設定した内容は、電源をＯＦＦしてもデータが消滅しない記憶領域に記憶される（若しくは、制御部１６０が、現金処理装置１００の電源ＯＮ／ＯＦＦ時におけるリセット対象としないようにする）。
【０１０６】
ここで、エンド系状態の表示における、「警告」表示の一例について、図９を参照して説明する。図９は、第８の実施例によるエンド系状態表示「有」における「警告」について説明する図である。
【０１０７】
図９に示す有高確認画面３０では、金種毎の収納枚数が有高として表示されている。ここで、エンド系状態表示対象の金種についてエンド系状態が発生している場合、制御部１６０は、有高確認画面３０に表示する「有高を確認してください」の文言表示３０１に星マークを付与したり、文言表示３０１を点滅（例えば文字色と背景色を反転させて交互に表示）させたり等して、注意喚起レベルが高い警告表示を実施する。また、制御部１６０は、有高確認画面３０において、エンド系状態が発生している金種表示３０２の文字色を赤色等にして目立たせるよう表示制御する。
【０１０８】
なお、エンド系状態表示の通知態様が「表示」の場合は、文言表示３０１に星マークの付与や点滅を行わず、単に、「有高を確認してください」の文言の表示を行うようにしてもよい。なお、制御部１６０は、「表示」の場合も、エンド系状態が発生している金種表示３０２の文字色を赤色等にして目立たせるよう表示制御してもよい。
【０１０９】
（作用効果）
第８の実施例によれば、設定取引により設定した内容は、再度設定取引により変更しない限り、現金処理装置１００の電源をＯＦＦにしても有効なため、電源をＯＮ／ＯＦＦの度に、都度設定する手間を省き、業務を効率化することができる。
【０１１０】
＜４．応用例＞
制御部１６０は、エンド系状態の表示有無の決定タイミングを操作履歴として保存（記憶部に記憶）しておいてもよい。これにより、利用者がどのようなタイミングで対象金種のエンド系状態の表示有無を決定したかを追跡、特定することができる。例えば利用者が意図せずに間違えてエンド系状態の表示有無を決定してしまい、問い合わせがあった際に、管理者は、操作履歴に基づいてどのようなタイミングで間違った操作が行われてしまったか等、原因を探ることができる。
【０１１１】
また、上述した設定取引において、エンド系状態の表示有無の他、フル／ニアフルといったフル系状態の表示有無についても設定することが可能である。また、フル系状態の表示を「有」に設定した際、その通知態様「警告／表示」についても設定取引において設定することが可能である。これにより、現金処理装置１００の運用に合った操作の誘導を行うことができる。
【０１１２】
また、上述した第１〜第８の実施例をそれぞれ組み合わせた実施例も実現可能である。
【０１１３】
＜５．補足＞
なお、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１１４】
また、現金処理装置１００に内蔵されるＣＰＵ、ＲＯＭおよびＲＡＭなどのハードウェアに、上述した現金処理装置１００の各構成と同等の機能を発揮させるためのコンピュータプログラムも作成可能である。また、該コンピュータプログラムを記憶させた記憶媒体も提供される。
【符号の説明】
【０１１５】
１００  現金処理装置
１００ａ  本体
１００ｂ  アダプタ
１０１  紙幣投入口
１０４  紙幣搬送部
１０５  紙幣鑑別部
１０７  万券カセット
１０９  五千券カセット
１１１  千券カセット
１１３  紙幣回収カセット
１１４  紙幣リジェクト部
１１５  紙幣回収部
１１７  硬貨投入口
１１８  硬貨搬送部
１１９  硬貨鑑別部
１２３  硬貨収納庫
１２７  硬貨リジェクト部
１２９  硬貨出金箱
１３３  操作表示部
１５０  操作指示部
１６０  制御部
【図１】
2020046804.tif 000003
【図２】
2020046804.tif 000004
【図３】
2020046804.tif 000005
【図４】
2020046804.tif 000006
【図５】
2020046804.tif 000007
【図６】
2020046804.tif 000008
【図７】
2020046804.tif 000009
【図８】
2020046804.tif 000010
【図９】
2020046804.tif 000011